(57)【要約】【課題】ＣＣＤの取付位置を容易に調整することが可能な画像読取装置を提供すること。【解決手段】プロットモードに設定されると、ＣＣＤ４１からアナログ信号の画データが出力され、そのアナログ信号がＡ／Ｄ変換部でデジタル信号に変換している。そして、主走査方向における１ライン分の画データの輝度値がグラフ化してリアルタイムに表示部に表示している。その結果、表示部を見ながら、調整ねじ４１０〜４３０をドライバ等の治具を用いて、又は直接手で調整すると、ＣＣＤ４１を正規の取付位置に調整することができる。従って、ＣＣＤ４１の取付位置を容易に調整することができる。【選択図】　　図２
2004032261.tif 000002
【特許請求の範囲】
【請求項１】
三次元方向に移動可能な移動手段と、その移動手段の移動量を調整する調整手段と、その移動手段に取り付けられて原稿上の画データを読み取る撮像手段と、アナログ信号をデジタル信号に変換する変換手段と、画データの輝度値を表示する表示手段と、撮像手段からの画データの輝度値を変換手段でデジタル信号に変換して表示手段に表示させる制御手段とを備えた画像読取装置。
【請求項２】
請求項１に記載の画像読取装置において、制御手段は、画データの輝度値をグラフ化して表示手段に表示させる画像読取装置。
【請求項３】
請求項１または請求項２に記載の画像読取装置において、制御手段は、主走査方向の画素毎に対応する輝度値をリアルタイムに表示手段に表示させる画像読取装置。
【発明の詳細な説明】
【０００１】
【発明の属する技術分野】
本発明は、複写機能付きファクシミリ装置（以下、複合機という）等が有する読取部に代表される画像読取装置に関し、より詳しくは読取部の調整に特徴を有する画像読取装置に関するものである。
【０００２】
【従来の技術】
従来、複合機の読取部を構成するＣＣＤは、基板に取り付けられ、そのＣＣＤ基板をフレームを介して複合機に取り付けていた。そして、オシロスコープ等を用いて、ＣＣＤ基板の取付位置を調整していた。具体的には、ＣＣＤからの出力信号の主走査方向における１ライン分の画データをオシロスコープ等に表示させて、ＣＣＤの取付位置を調整していた。
【０００３】
【発明が解決しようとする課題】
しかしながら、組立時にオシロスコープ等を使用しなければならないため、組立効率が悪く、生産性に欠けていた。また、複合機の輸送中等にＣＣＤ基板の取付位置がずれた場合等のように、顧客先等で調整しなければならないような事態が発生した場合には、サービスマンがオシロスコープ等を持ち運んで、ＣＣＤ基板の取付位置を再調整する必要もあった。
【０００４】
本発明は、このような問題点に着目してなされたものであって、その目的は、ＣＣＤの取付位置を容易に調整することが可能な画像読取装置を提供することにある。
【０００５】
【課題を解決するための手段】
上記の目的を達成するために、請求項１に記載の発明では、三次元方向に移動可能な移動手段と、その移動手段の移動量を調整する調整手段と、その移動手段に取り付けられて原稿上の画データを読み取る撮像手段と、アナログ信号をデジタル信号に変換する変換手段と、画データの輝度値を表示する表示手段と、撮像手段からの画データの輝度値を変換手段でデジタル信号に変換して表示手段に表示させる制御手段とを備えた。
【０００６】
請求項２に記載の発明では、請求項１に記載の画像読取装置において、制御手段は、画データの輝度値をグラフ化して表示手段に表示させる。
請求項３に記載の発明では、請求項１または請求項２に記載の画像読取装置において、制御手段は、主走査方向の画素毎に対応する輝度値をリアルタイムに表示手段に表示させる。
【０００７】
【発明の実施の形態】
以下に、本発明に係る画像読取装置を複合機の読取部に具体化した一実施形態について図面を用いて説明する。
【０００８】
図１に示すように、複合機１は、ＭＰＵ１０、ＲＯＭ２０、ＲＡＭ３０、読取部４０、記録部５０、操作部６０、表示部７０、画像メモリ８０、コーデック９０、モデム１００、及びＮＣＵ１１０から構成されるとともに、各部１０〜１１０がバス１２０を介してそれぞれ接続されている。
【０００９】
ＭＰＵ１０は、複合機１を構成する各部を制御する。ＲＯＭ２０は、複合機１を制御するためのプログラムを記憶する。ＲＡＭ３０は、複合機１に関する各種情報を記憶する。
【００１０】
読取部４０は、原稿上の画データを読み取って、白黒２値のイメージデータを出力する。具体的には、原稿上の主走査方向の１ライン分の画データを読み取って、アナログ信号を出力するＣＣＤ４１と、そのＣＣＤ４１からのアナログ信号をデジタル信号に変換するＡ／Ｄ変換部４２とから構成されている。記録部５０は、電子写真方式のプリンタよりなり、受信画データや、コピー動作において読取部４０で読み取った原稿の画データを、記録紙上に記録する。
【００１１】
操作部６０は、ＦＡＸモード又はコピーモードに設定するためのＦＡＸ／コピーキー６１、短縮番号の登録又は短縮番号から発信するための短縮キー６２、予め登録したＦＡＸ番号をワンタッチで指定するためのワンタッチキー６３を備えている。また、操作部６０は、電話番号、コピー部数、又は文字コード等を入力するためのテンキー（＊，＃キーを含む）６４、原稿の読み取り動作を開始させるためのスタートキー６５等の各種操作キーを備えている。ＬＣＤ等よりなる表示部７０は、複合機１の動作状態等の各種情報の表示を行う。また、表示部７０は、Ａ／Ｄ変換部４２で変換された主走査方向における１ライン分の画データ、つまり画素毎に対応する輝度値を表示する。
【００１２】
画像メモリ８０は、受信画データや読取部４０で読み取った画データを一時的に記憶する。コーデック９０は、読取部４０で読み取った画データを送信のためにＭＨ，ＭＲ，ＭＭＲ方式等により符号化（エンコード）する。また、コーデック９０は、受信画データを復号（デコード）する。
【００１３】
モデム１００は、ＩＴＵ−Ｔ勧告Ｔ．３０に従ったファクシミリ伝送制御手順に基づいて、Ｖ．１７，Ｖ．２７ｔｅｒ，Ｖ．２９等に従った送受信データの変調及び復調を行う。ＮＣＵ１１０は、電話回線Ｌとの接続を制御するとともに、相手先の電話番号（ＦＡＸ番号を含む）に対応したダイヤル信号の送出及び着信を検出するための機能を備えている。
【００１４】
次に、ＣＣＤ４１の取付位置を調整する構成について、図２に示す分解斜視図を用いて説明する。
メインフレーム２００は、固定フレーム２１０とともに、複数の固定ねじ３１０で読取部４０の底部（図示略）に固定される。複数の固定ねじ３１０に対応するメインフレーム２００には、楕円の透孔２００ａが透設されている。第１サブフレーム２２０と第２サブフレーム２３０とは、メインフレーム２００を挟持するように複数の固定ねじ３２０で固定される。複数の固定ねじ３２０に対応する第２サブフレーム２３０には、楕円の透孔２３０ａが透設されている。ＣＣＤ４１は、ＣＣＤ基板２４０に取り付けられる。そのＣＣＤ基板２４０は、第２サブフレーム２３０に複数の固定ねじ３３０で固定される。
【００１５】
固定フレーム２１０は、メインフレーム２００、第１サブフレーム２２０及び第２サブフレーム２３０をＸ軸方向又は反Ｘ軸方向に移動させるための調整ねじ４１０を備えている。その結果、調整ねじ４１０を左又は右方向に回転させると、ＣＣＤ４１がＸ軸方向又は反Ｘ軸方向に移動される。なお、このとき複数の固定ねじ３１０の締め付けを適宜調整しながら、調整ねじ４１０を左又は右方向に回転させる。
【００１６】
メインフレーム２００は、メインフレーム２００、第１サブフレーム２２０及び第２サブフレーム２３０をＺ軸方向又は反Ｚ軸方向に移動させるための複数の調整ねじ４２０を備えている。その結果、調整ねじ４２０を左又は右方向に回転させると、ＣＣＤ４１がＺ軸方向又は反Ｚ軸方向に移動される。なお、このとき複数の固定ねじ３１０の締め付けを適宜調整しながら、調整ねじ４２０を左又は右方向に回転させる。
【００１７】
第２サブフレーム２３０は、メインフレーム２００、第１サブフレーム２２０及び第２サブフレーム２３０をＹ軸方向又は反Ｙ軸方向に移動させるための調整ねじ４３０を備えている。その結果、調整ねじ４３０を左又は右方向に回転させると、ＣＣＤ４１がＹ軸方向又は反Ｙ軸方向に移動される。なお、このとき複数の固定ねじ３２０の締め付けを適宜調整しながら、調整ねじ４３０を左又は右方向に回転させる。
【００１８】
従って、調整ねじ４１０〜４３０をドライバ等の治具を用いて、又は直接手で調整することにより、ＣＣＤ４１をＸＹＺ軸方向又は反ＸＹＺ軸方向に移動させると、ＣＣＤ４１を正規の取付位置に調整することができる。
【００１９】
次に、ＣＣＤ４１の取付位置を調整するときの動作について、図３を用いて説明する。
さて、操作部６０からの操作に基づいて、読取部４０で読み取った画データの主走査方向における１ライン分の画データを表示部７０に表示させるプロットモードに設定されると、ＲＯＭ２０に記憶されているプログラムが起動される。そして、例えば図３（ａ）に示すように、主走査方向における１ライン分の画データの輝度値がグラフ化されてリアルタイムに表示部７０に表示される。すなわち、主走査方向の１ライン分の画素毎に対応する輝度値がグラフ化されてリアルタイムに表示部７０に表示される。そこで、図３（ｂ）に示すようなグラフになるように表示部７０を見ながら、調整ねじ４１０〜４３０をドライバ等の治具を用いて、又は直接手で調整すると、ＣＣＤ４１が三次元方向に移動される。その結果、ＣＣＤ４１を正規の取付位置に調整することができる。
【００２０】
以上、詳述したように本実施形態によれば、次のような作用、効果を得ることができる。
（１）プロットモードに設定されると、ＣＣＤ４１からアナログ信号の画データが出力され、そのアナログ信号がＡ／Ｄ変換部４２でデジタル信号に変換している。そして、主走査方向における１ライン分の画データの輝度値がグラフ化してリアルタイムに表示部７０に表示している。その結果、表示部７０を見ながら、調整ねじ４１０〜４３０をドライバ等の治具を用いて、又は直接手で調整すると、ＣＣＤ４１を正規の取付位置に調整することができる。従って、ＣＣＤ４１の取付位置を容易に調整することができる。
【００２１】
（２）ＣＣＤ４１を有するＣＣＤ基板２４０は、各フレーム２００〜２３０を介して読取部４０の底部に固定されている。ＣＣＤ４１を有するＣＣＤ基板２４０は、調整ねじ４１０〜４３０を調整することにより、三次元方向、つまりＸＹＺ軸方向又は反ＸＹＺ軸方向に移動可能に構成されている。その結果、調整ねじ４１０〜４３０で取付位置を容易に調整することができる。
【００２２】
（３）しかも、従来のように、オシロスコープ等を用いて、ＣＣＤ４１の取付位置を調整する必要はなく、しかも、複合機１が顧客先に納入された後であっても、サービスマンがオシロスコープ等を持ち運んでＣＣＤ４１を再調整する必要もない。従って、ＣＣＤ４１の取付位置を簡便に調整することができる。
【００２３】
なお、前記実施形態は、次のように変更して具体化することも可能である。
・輝度値のグラフ化は、棒グラフ、折れ線グラフ等のグラフ化であっても良い。
【００２４】
・主走査方向における１ライン分の画データのうち、所定画素毎（例えば５０画素毎）に対応する輝度値をグラフ化して表示部７０に表示させる構成にしても良い。このように構成すれば、表示部７０に表示するまでの処理時間が短縮される。その結果、素早くグラフが表示部７０に表示される。従って、素早くＣＣＤ４１の取付位置を調整することができる。
【００２５】
・輝度値のグラフ化に代えて又は加えて、所定画素毎（例えば５０画素毎）に輝度値を数値化して表示部７０に表示する構成にしても良い。
さらに、上記実施形態より把握される技術的思想について、以下にそれらの効果と共に記載する。
【００２６】
〔１〕請求項１〜請求項３のいずれか１項に記載の画像読取装置において、撮像手段は、主走査方向における１ライン分の画データを読み取る画像読取装置。このように構成すれば、１ライン分の画データに基づいて、撮像手段の取付位置を容易に調整することができる。
【００２７】
〔２〕請求項１〜請求項３または前記〔１〕のいずれか１項に記載の画像読取装置において、制御手段は、主走査方向における１ライン分の画データのうち、所定画素毎の輝度値をグラフ化して表示手段に表示させる画像読取装置。このように構成すれば、表示手段に表示するまでの処理時間が短縮される。その結果、輝度値のグラフが素早く表示手段に表示される。従って、素早く撮像手段の取付位置を調整することができる。
【００２８】
【発明の効果】
本発明は、以上のように構成されているため、次のような効果を奏する。
請求項１〜請求項３のいずれか１項に記載の発明によれば、撮像手段の取付位置を容易に調整することができる。
【図面の簡単な説明】
【図１】複合機の構成を示すブロック図。
【図２】ＣＣＤを有するＣＣＤ基板及び各フレームとを示す分解斜視図。
【図３】（ａ）ＣＣＤの取付位置が不正確なときの輝度値を示すグラフ。
（ｂ）ＣＣＤの取付位置が正確なときの輝度値を示すグラフ。
【符号の説明】
１…複合機、１０…制御手段を構成するＭＰＵ、２０…制御手段を構成するＲＯＭ、３０…制御手段を構成するＲＡＭ、４０…画像読取装置としての読取部、４１…撮像手段としてのＣＣＤ、４２…変換手段としてのＡ／Ｄ変換部、７０…表示手段としての表示部、２００…移動手段を構成するメインフレーム、２１０…固定フレーム、２２０…移動手段を構成する第１サブフレーム、２３０…移動手段を構成する第２サブフレーム、４１０〜４３０…調整手段としての調整ねじ。
【図１】
2004032261.tif 000003
【図２】
2004032261.tif 000004
【図３】
2004032261.tif 000005